(57)【要約】      （修正有）【課題】多色に色変化する光源を持ったクリスマスツリーを提供する。【解決手段】光ファイバー１１を束ね形成したツリー幹体１２の下方から天板を集光レンズ２３とし、外周壁を不透明材質としたドーム型ケースＤのベースに赤・青・緑の三原色のＬＥＤを砲弾型エポキシ樹脂に埋め込んだ自己点滅型の光源装置を内設している。これにより、砲弾型樹脂内で三原色が自己点滅し多色に色変化（赤・緑・青・黄・水色・紫・白・赤）した光が更に集光レンズを通って幹体の下端の光ファイバーに照射されるため色変化に富むツリーを楽しむことができる。【選択図】図１
0003184675.tif 000002
【実用新案登録請求の範囲】
【請求項１】
光ファイバーを束ね形成したツリー幹体の下方から天板を集光レンズとし、外周壁を不透明材質としたドーム型ケースのベースに赤・青・緑の三原色のＬＥＤを砲弾型エポキシ樹脂に埋め込んだ自己点滅型の光源装置を内設してなるクリスマスツリー
【請求項２】
光ファイバーを束ね形成したツリー幹体と幹体に差し込み光ファイバー束の光ファイバーを任意数本絡ませてなる枝体を設けている請求項１記載のクリスマスツリー
【請求項３】
光ファイバーを束ね形成したツリー幹体の基部を保持パイプに挿入固定し、保持パイプ側面に垂直突条を複数本設けるとともに、支持ケースのツリー挿入部にこの垂直突条に対応する垂直条溝を設けてなる請求項１から２いずれかに記載のクリスマスツリー
【請求項４】
ツリーの幹体となる光ファイバーの下端面を溶融してなる請求項１から３いずれかに記載のクリスマスツリー
【請求項５】
支持ケース側面に設けた電気コンセントに差し込むプラグを端部に持ち、先端に電球を取り付けているリード線を内装した細長パイプに樹脂モールを巻回して枝体を形成し、リード線のプラグは支持ケースに設けた電源と接続したコンセントに差し込むことができるようにしてなる請求項１から４いずれかに記載のクリスマスツリー
【考案の詳細な説明】
【技術分野】
【０００１】  本考案は、支持ベース体に立設し、光ファイバーを集束して形成した幹体を有するツリーであって、支持ベース体内部に設けたＬＥＤを下方から照射するようにしてなるクリスマスツリーに関するものである。
【背景技術】
【０００２】  このような光ファイバーを集束して幹体を形成し、幹体の下方から光源を照射するクリスマスツリーは、既に知られている。【０００３】  従来のこれらのツリーでは、単に光源を照射するだけでは単調なものとなるため、様々な色の変化ができるようにしている。すなわち、光源の上に色板を回転させるようにしたものや赤・青・緑の三色のＬＥＤを設けたものがある。【０００４】  しかし、光源の上方に色板を回転させることは構造が煩雑化し、コスト高となる。また、赤・青・緑の三色のＬＥＤを設けたものは、各色の照射する箇所が一定であるため照射されるファイバーが決められる結果変化性に欠け単調な色変化となってしまう。【０００５】
【特許文献１】実用新案登録第３０８９７７３号
【特許文献２】特開２００３−３１７５１６号
【考案の開示】
【考案が解決しようとする課題】
【０００６】  本考案は、上述した従来技術の欠点を除くためになされたものである。即ち、光源として赤・青・緑の三原色のＬＥＤを砲弾型エポキシ樹脂に埋め込んだ自己点滅型の発光ダイオードを使用することによって、三原色が自己点滅し多色に色変化した光が満遍なくファイバーに照射されるので変化性の富んだクリスマスツリーを楽しむことができるようにすることをその目的とするものである。【０００７】  このようにすることによって、一つの樹脂モールドから変化した色が照射することから各ファイバー全体に色変化した光を照射することができる。
【課題を解決するための手段】
【０００８】  このような問題点を解決するために、本考案の第１考案のツリーは、光ファイバーを束ね形成したツリー幹体の下方から天板を集光レンズとし、外周壁を不透明材質としたドーム型ケースのベースに赤・青・緑の三原色のＬＥＤを砲弾型エポキシ樹脂に埋め込んだ自己点滅型の光源装置を内設してなることを特徴とするものである。【０００９】  第２考案のツリーは、光ファイバーを束ね形成したツリー幹体と幹体に差し込み光ファイバー束の光ファイバーを任意数本絡ませてなる枝体を設けていることを特徴とするものである。【００１０】  第３考案のツリーは、光ファイバーを束ね形成したツリー幹体の幹体の基部を保持パイプに挿入固定し、保持パイプ側面に垂直突条を複数本設けるとともに、支持ケースのツリー挿入部にこの突条に対応する垂直条溝を設けてなることを特徴とするものである。【００１１】  第４考案のツリーは、ツリーの幹体となる光ファイバーの下端面を溶融してなることを特徴とするものである。【００１２】  第５考案のツリーは、支持ケース側面に設けた電気コンセントに差し込むプラグを端部に持ち、先端に電球を取り付けているリード線を内装した細長パイプに樹脂モールを巻回して枝体を形成し、リード線のプラグは支持ケースに設けた電源と接続したコンセントに差し込むことができるようにしてなることを特徴とするものである。
【考案の効果】
【００１３】  本考案は、このような構成としているので、以下のような効果を奏することが期待できる。【００１４】  光源として砲弾型樹脂も集光機能が有る赤・青・緑の三色のＬＥＤを砲弾型エポキシ樹脂に埋め込んでいる自己点滅型の発光ダイオードの天板を集光レンズとし、外周壁を不透明材質としたドーム型ケースのベースに設置しているので、砲弾型樹脂内で三原色が自己点滅し多色に色変化（赤・緑・青・黄・水色・紫・白・赤）した光が更に集光レンズを通って幹体の下端の光ファイバーに照射されるため色変化に富むツリーを楽しむことができる。【００１５】  また、光ファイバーを束ね形成したツリー幹体と幹体に差し込み光ファイバー束の光ファイバーを任意数本絡ませている枝体を設けているので、ＬＥＤを点灯すると枝体の葉体の間のあちこちの光ファイバーから種々の色の光が照射されより美しいツリーとすることができる。【００１６】  また、光ファイバーを束ね形成したツリー幹体の基部を保持パイプに挿入固定し、保持パイプ側面に垂直突条を複数本設けるとともに、支持ケースのツリー挿入部にこの垂直突条に対応する垂直条溝を設けているので、幹体が回転することがなく確実に支持ケースに固定されることとなり、ツリーがぐらつき不安定となることや、リード線が引っ張られツリーが倒れることがない。【００１７】  また、ツリーの幹体となる光ファイバーの下端面を溶融することによって、ファイバーの結束が確実なものとなり保持パイプに確実に固定できるとともに、接着剤のような異種物による接着ではないので照射効率が低下することはない、また幹体の下端面が面一となるので均等に照射されることとなる。【００１８】  また、支持ケース側面に設けた電気コンセントに差し込むプラグを端部に持ち、先端に電球を取り付けているリード線を内装した細長パイプに樹脂モールを巻回して枝体を形成し、リード線のプラグは支持ケースに設けた電源と接続したコンセントに差し込むことができるようにしているのでより豪華なツリーとすることができる。
【考案を実施するための最良の形態】
【実施例】
【００１９】  ツリー本体１０は、光ファイバー束により形成した幹体１２、二本の針金間に葉体１３となる樹脂モールを矜恃し捲回してなる枝体１７、先端にＬＥＤ球１４を取り付けている枝体となる細長パイプ１６とからなり、これら枝体の基部１６ａ、１７ａを光ファイバー束に差し込み光ファイバー１１の複数本を各枝体に絡ませるようにするとともに、光ファイバー束を樹皮１９となる樹脂モールにて捲回結束してなるものである。【００２０】  実施例について図面を参照して説明すると、図１において、１０はツリー幹体であって、光ファイバー１１を結束し幹体１２を形成している。１７は枝体であって基部１７ａを光ファイバー束（幹体１２）に差し込むとともに複数本の光ファイバー１１を絡ませている。１３は先端にＬＥＤ球１４を取り付けているリード線１５を内装した細長パイプ１６に樹脂モールを巻回している枝体であって、パイプ１６の基部１６ａを光ファイバー束（幹体１２）に差し込み固定している。２０は支持ケースであって、ベース２１上に電源２２を内設している。そして、光ファイバーを束ね形成したツリー幹体１０の下方には、天板を集光レンズ２３とし、外周壁２４を不透明材質としたドーム型ケースＤのベースに赤・青・緑の三原色のＬＥＤを砲弾型エポキシ樹脂に埋め込んだ自己点滅型の発光ダイオード２５を内設している光源装置を電源２２に接続配置している。【００２１】  ３０は、ツリー幹体の幹体１２の基部を保持する保持パイプであって、上部外周縁に鍔３２を形成するとともに側面に垂直突条３１を複数本設けている。支持ケース２０のツリー挿入部２７にはこの垂直突条３１に対応する垂直条溝２８を設けている。【００２２】  なお、幹体１２となる光ファイバー束は、枝体１７となる二本の針金に矜恃巻回した樹脂モールで捲回して枝体１７を固定するとともに結束し、結束した下端面を溶融し、一体化している。【００２３】  枝体１７は、樹脂モールを付けたワイヤーなどを幹体１２の適宜の位置に設置すればよいが、先端にＬＥＤ球１４を取り付けているリード線１５を内装した細長パイプ１６に樹脂モールを巻回して枝体１７を形成し、リード線１５のプラグ１８は支持ケースに設けた電源２２と接続したコンセント２９に差し込むことができるようにしている。
リード線１５はスイッチを介して直接電源２２と接続することも可能である。【００２４】  図２のように、支持ケース２０に放熱穴２６を設けているとケース内部が加熱することがなく安全に使用することができる
【図面の簡単な説明】
【００２５】
【図１】本考案の一実施形態を示す一部を断面した正面図である。
【図２】本考案で使用する支持ケースの一実施形態を示す平面図である。
【図３】本考案で使用する保持パイプの一実施形態を示す正面図である。
【符号の説明】
【００２６】１１    光ファイバー
１２    幹体
１３    葉体
１７    枝体
２０    支持ケース
２３    集光レンズ
２５    発光ダイオード
３０    保持パイプ
【図１】
0003184675.tif 000003
【図２】
0003184675.tif 000004
【図３】
0003184675.tif 000005